(57)【特許請求の範囲】
【請求項１】
受信機からの伝送路に複数の火災感知器を接続し、前記受信機からの命令により複数の火災感知器から所定の順番に繰り返し検出データを送信させて火災を判断する火災監視装置に於いて、
前記火災感知器は、
種類の異なる常時動作状態にある複数のセンサ部と、
前記複数のセンサ部の検出信号を受信機に応答する複数種類の検出データに変換するセンサ処理部と、
前記受信機からのモード切替命令により当該切替命令に対応するモードに切り替えるモード切替部と、
前記受信機からのデータ要求命令により前記センサ処理部により生成された複数種類の検出データの中から現在の切替モードに対応した検出データを前記受信機に応答する応答部と、を備え、
前記受信機は、
検出データのモードを選択するモード切替命令を前記火災感知器に送信してモードを切り替えるモード切替指示部と、
データ要求命令の送信により前記火災感知器が応答した検出データを受信して火災を判断する火災判断部と、を
備えたことを特徴とする火災監視装置。
【請求項２】
請求項１記載の火災監視装置に於いて、前記火災感知器は、
前記複数のセンサとして、火災により発生する煙を検出して煙信号を出力する煙センサ部と、火災により受ける熱を検出して温度信号を出力する熱センサ部とを備え、
前記センサ処理部として、前記煙信号を受信機に応答する煙データに変換して保持する煙センサデータ処理部と、前記温度信号を受信機に応答する温度データに変換して保持する温度センサデータ処理部と、前記温度信号に基づいて前記煙信号を補正し、受信機に応答する補正煙データに変換して保持するマルチセンサデータ処理部とを備え、
更に、前記モード切替部は、前記煙データを応答する煙センサモード、前記温度データを応答する温度センサモード、又は補正済み煙データを応答するマルチセンサモードの切替機能を有し、前記受信機からのモード切替命令に基づいて煙センサモード、温度センサモード、又はマルチセンサモードのいずれかに切り替えることを特徴とする火災監視装置。
【請求項３】
請求項１乃至２に記載の火災監視装置に於いて、前記火災感知器のモード切替部は、前記受信機から特定のモードを指定しないデータ要求命令を受信した際は、現在の切替モードに対応するデータを応答し、かつ、前記受信機から特定のモードを指定したデータ要求命令を受信した際は、現在の切替モードに関わらず、指定されたモードのデータを応答することを特徴とする火災監視装置。
【請求項４】
請求項２記載の火災監視装置に於いて、前記火災感知器のモード切替部は、電源投入による立ち上げ時に、前記マルチセンサモードを初期設定することを特徴とする火災監視装置。
【請求項５】
請求項２記載の火災監視装置に於いて、
前記火災感知器は、更に、前記煙データ、温度データ、又は補正済み煙データが所定の閾値以上となったときに前記受信機に割込信号を送信する割込処理部を設け、
前記受信機の火災判断部は、前記火災感知器から割込信号を受信した際に、割込検索命令を送信して割込信号を送信した火災感知器を検索し、検索した火災感知器にデータ要求命令を繰り返し送って検出データを順次応答させることを特徴とする火災監視装置。
【請求項６】
請求項１記載の火災監視装置に於いて、前記受信機のモード切替指示部は、特定の火災感知器のアドレスの指定により特定の火災感知器のモードを切り替えることを特徴とする火災監視装置。
【請求項７】
請求項１記載の火災監視装置に於いて、前記受信機のモード切替指示部は、全ての火災感知器に共通なポーリングコマンドの指定により全ての火災感知器のモードを切り替えることを特徴とする火災監視装置。
【請求項８】
請求項１記載の火災監視装置に於いて、前記受信機のモード切替指示部は、前記火災感知器の障害を認識した際に、障害を生じた現在のモードを他の正常なモードに切り替えることを特徴とする火災監視装置。
【請求項９】
請求項２記載の火災監視装置に於いて、前記火災感知器のマルチセンサ処理部は、
火災による熱を受けた際の温度上昇の度合いを表わす温度差を検出する温度差検出部と、
前記外部温度と温度差とに基づいて前記煙信号の補正係数を決定する補正係数決定部と、
前記煙信号に前記補正係数を乗算して補正する煙信号補正部と、
を備えたことを特徴とする火災監視装置。
【請求項１０】
請求項９記載の火災監視装置に於いて、前記マルチセンサ処理部の補正係数決定部は、前記外部温度及び温度差の各々を所定の温度幅をもつ複数の温度領域に分割し、前記外部温度が同じ温度領域に属している場合、前記温度差の増加に実質的に比例して増加するように補正係数を前記温度差の温度領域毎に予め設定し、且つ前記温度差が同じ温度領域に属している場合、前記外部温度の上昇に実質的に比例して増加するように前記補正係数を前記外部温度の温度領域毎に予め設定し、前記外部温度検出部で検出した外部温度の属する温度領域と前記温度差算出部で算出した温度差の属する温度領域から予め設定された補正係数を決定することを特徴とする火災監視装置。
【請求項１１】
請求項９記載の火災監視装置に於いて、前記マルチセンサ処理部の補正係数決定部は、前記外部温度が第１の所定温度未満の場合、前記温度差が第１の所定温度差未満の場合、前記外部温度が第２の所定温度以上で且つ前記温度差が第２の温度差以下の場合は、補正係数１．０を決定して前記煙信号補正部出の補正を実質的に行わないことを特徴とする火災監視装置。
【請求項１２】
受信機からの伝送路に接続され、前記受信機からの命令により検出データを送信する火災感知器において、
種類の異なる常時動作状態にある複数のセンサ部と、
前記複数のセンサ部の検出信号を受信機に応答する複数種類の検出データに変換するセンサ処理部と、
前記受信機からのモード切替命令により当該切替命令に対応するモードに切り替えるモード切替部と、
前記受信機からのデータ要求命令により前記センサ処理部により生成された複数種類の検出データの中から現在の切替モードに対応した検出データを前記受信機に応答する応答部と、
を備えたことを特徴とする火災感知器。
【発明の詳細な説明】
【０００１】
【発明の属する技術分野】
本発明は、受信機からの伝送路に複数の火災感知器を接続し、受信機からの命令により複数の火災感知器から所定の順番に繰り返し検出データを送信させて火災を判断する火災監視装置及び火災感知器に関し、特に火災感知器に複数のセンサを設けて複数種類の検出データを選択的に応答できるようにした火災監視装置及び火災感知器に関する。
【０００２】
【従来の技術】
従来、受信機により複数の火災感知器を集中監視する火災監視装置では、受信機からの伝送路に、煙と熱の両方を検出する機能を持たせたいわゆるマルチセンサ型の火災感知器を接続している。
【０００３】
このようなマルチセンサ型の火災感知器では、煙検知回路と熱検知回路をもった場合、受信機からの命令で煙検知回路と熱検知回路を切り替えて個別に動作させている（特開平７−６５２６３号）。
【０００４】
このため設置場所の環境等に応じて熱感知器または煙感知器として動作させることができる。また、煙感知回路の切替状態で火災を判断したら、熱感知回路に切り替えて火災を確認することで、誤報を未然に防止できる。
【０００５】
【発明が解決しようとする課題】
しかしながら、受信機からの命令で煙検知回路と熱検知回路を切り替える火災感知器にあっては、切替回路を設けてハードウェア的に切り替えるため、回路が複雑になるという問題があった。また、２つの検知回路の一方を動作し他方を停止するように切り替えているため、片方の検知回路しか動作せず、複数種類の検出機能の特徴を生かせないという問題がある。
【０００６】
また検知回路毎に異なるアドレスを割り当てて切り替える場合には、データ要求命令のアドレスを切り替えることで両方の検知機能を生かすことができるが、１台の火災感知器に複数アドレスを使用するため、受信機で割り当てることのできる最大アドレス数には限界があることから、アドレスが不足して受信機に接続できる火災感知器の数が少なくなる問題がある。
【０００７】
本発明は、回路構成の複雑化とアドレス不足を起すことなく、煙や熱といった複数種類のセンサ機能を有効に活用して適切に火災監視するめたの火災監視装置及び火災感知器を提供することを目的とする。
【０００８】
【課題を解決するための手段】
本発明は、受信機からの伝送路に複数の火災感知器を接続し、受信機からの命令により複数の火災感知器から所定の順番に繰り返し検出データを送信させて火災を判断する火災監視装置を対象とする。
【０００９】
このような本発明の火災感知装置において、火災感知器は、種類の異なる常時動作状態にある複数のセンサ部と、複数のセンサ部の検出信号を受信機に応答する複数種類の検出データに変換するセンサ処理部と、受信機からのモード切替命令により当該切替命令に対応するモードに切り替えるモード切替部と、受信機からのデータ要求命令によりセンサ処理部により生成された複数種類の検出データの中から現在の切替モードに対応した検出データを受信機に応答する応答部とを備える。
【００１０】
また受信機は、応答データの種類を選択するモード切替命令を火災感知器に送信してモードを切り替えるモード切替指示部と、データ要求命令の送信により前記火災感知器から応答データを受信して火災を判断する火災判断部とを備える。
【００１１】
このような本発明の火災監視装置にあっては、火災感知器に設けている熱センサ部や煙センサ部といった複数のセンサ部を切り替えるのではなく、複数のセンサ部は常時動作状態にあって煙データ及び温度データを検出しており、受信機からのモード切替命令により、受信機に応答する検出データに対応するモードを切り替えるだけである。
【００１２】
このためハードウェアによる複数のセンサ部の切替えを必要とせず、またアドレスは火災感知器単位に設定するだけでよいので、データの種別毎にアドレスを設定した場合のアドレス不足に起因した感知器接続数の減少は起きない。
【００１３】
本発明の火災感知器は、複数のセンサとして、火災により発生する煙を検出して煙信号を出力する煙センサ部と、火災により受ける熱を検出して温度信号を出力する熱センサ部とを備え、またセンサ処理部として、煙信号を受信機に応答する煙データに変換して保持する煙センサデータ処理部と、温度信号を受信機に応答する温度データに変換して保持する温度センサデータ処理部と、温度信号に基づいて煙信号を補正し、受信機に応答する補正温度データに変換して保持するマルチセンサデータ処理部とを備える。
【００１４】
更に、火災感知器のモード切替部は、煙データを応答する煙センサモード、温度データを応答する温度センサモード、又は補正済み温度データを応答するマルチセンサモードの切替機能を有し、受信機からのモード切替命令に基づいて煙センサモード、温度センサモード、又はマルチセンサモードのいずれかに切り替える。
【００１５】
火災感知器のモード切替部は、受信機からデータの種別を指定しないデータ要求命令を受信した際は、現在の切替モードに対応するデータを応答し、かつ受信機からデータの種別を指定したデータ要求命令を受信した際は、現在の切替モードに係わらず、指定されたモードのデータを応答する。これはモード切替えを行った後の通常のポーリングコマンドを用いた感知器データの収集であり、切替後のモードに固定した種別のデータを応答させ、かつ現在の切替モード以外のモードのデータを収集したい場合であり、現在の切替モードの如何に関わらず、コマンドで指定したモードのデータを応答させることができる。
【００１７】
例えば現在、火災感知器をマルチセンサモードに切り替えていた場合、必要に応じて受信機から煙モードや熱モードを指定して対応する検出データを収集することができる。この機能は、例えばマルチセンサモードのデータで火災や障害を判断した場合、裏モードとなっている煙モードや熱モードの検出データを取得して、より正確な判断を可能とする。
【００１８】
火災感知器のモード切替部は、電源投入による立ち上げ時にマルチセンサモードを初期設定する。この初期設定モードは装置の基本的な使用であり、これ以外のモードを設定してもよい。
【００１９】
火災感知器は、更に、煙データ、温度データ、又は補正済み煙データが所定の閾値以上となったときに受信機に割込信号を送信する割込処理部を設け、これに対応して受信機の火災判断部は、火災感知器から割込信号を受信した場合、割込検索命令を送信して割込信号を送信した火災感知器を検索し、検索した火災感知器にデータ要求命令を繰り返し送って検出データを継続的に応答させる。
【００２０】
このような火災感知器からの割込みにより、受信機側で異常を迅速に知って集中的に監視することで、火災の早期発見ができる。尚、火災感知器の割込機能は全てのモードに設けられている。
【００２１】
受信機のモード切替指示部は、特定の火災感知器のアドレスの指定により特定の火災感知器のモードを切り替えてもよいし、全ての火災感知器に共通なポーリングアドレスの指定により全ての火災感知器のモードを切り替えてもよい。即ち、受信機のポーリング単位となる系統に接続した火災感知器が全て本発明の火災感知器であれば、アドレスの個別指定又は共通ポーリングアドレスの指定によるモード切替えを行う。これに対し、受信機のポーリング単位となる系統に本発明の火災感知器以外に通常の火災感知器を接続している場合には、アドレスを指定したモード切替えとする。
【００２２】
受信機のモード切替指示部は、火災感知器の障害を認識した際に、障害を生じた現在のモードを他の正常なモードに切り替える。これによって火災感知器の障害を回避して正常なデータを収集するフェイルセーフ機能が実現できる。
【００２３】
更に、本発明の火災感知器に設けたマルチセンサ処理部は、火災による熱を受けた際の温度上昇の度合いを表す温度差ΔＴを検出し、続いて補正係数決定部が外部温度Ｔｏと温度差ΔＴとに基づいて煙信号Ｓの補正係数Ｋを決定する補正係数決定部と、煙センサ部で検出した煙信号Ｓに補正係数Ｋを乗算して補正する煙データ補正部とを備える。
【００２４】
このマルチセンサ処理部によれば、現在の外部温度と温度上昇率の両方を用いて補正係数を決定して煙信号を補正しており、煙だけでは検出することができなかった火災、例えば煙濃度が低く温度が急激に上昇する着炎火災を確実に検出することができる。また温度変化の少ない通常環境の煙検出の感度は低めに設定できるので、非火災発生の確率を下げることができる。特に、通常環境の状態で暖房機器からの熱風を直接受けたような場合、ある温度に達すると温度上昇はほとんどなくなるため煙検出の感度は低めに設定でき、温度が高くとも火災と判断されることはない。
【００２５】
補正係数決定部は、外部温度Ｔｏ及び温度差ΔＴの各々を所定の温度幅をもつ複数の温度領域に分割し、外部温度Ｔｏが同じ温度領域に属している場合、温度差の増加に実質的に比例して増加するように補正係数Ｋを温度差ΔＴの温度領域毎に予め設定し、且つ温度差ΔＴが同じ温度領域に属している場合、外部温度Ｔｏの上昇に実質的に比例して増加するように補正係数Ｋを外部温度Ｔｏの温度領域毎に予め設定する。そして外部温度検出部で検出した外部温度Ｔｏの属する温度領域と温度差算出部で算出した温度差ΔＴの属する温度領域から予め設定された補正係数Ｋを決定する。
【００２６】
補正係数決定部は、また補正係数Ｋを常に固定した値にするものではなく、予め設定された補正係数そのものは固定するか、外部温度の温度領域及びまたは温度差の温度領域を可変することで、実質的に補正係数Ｋを可変させるか、または、外部温度の温度領域及び温度差の温度領域は固定し、補正係数Ｋそのものを可変させることもできる。
【００２７】
また、補正係数決定部は、
外部温度Ｔｏが第１の所定温度未満の場合、
温度差ΔＴが第１の所定温度差未満の場合、
外部温度Ｔｏが第２の所定温度以上で且つ前記温度差ΔＴが第２の所定温度差以下の場合は、
補正係数Ｋ＝１．０を決定して煙信号補正部出の補正を実質的に行わないようにする。
【００２８】
【発明の実施の形態】
図１は本発明の火災感知器の全体構成のブロック図である。図１において、管理人室等に設置された受信機１００からは伝送路１０１が引き出され、伝送路１０１に本発明によるマルチセンサ感知器１０２−１，１０２−２，・・・１０２−ｎを接続している。
【００２９】
マルチセンサ感知器１０２−１〜１０２−ｎは、例えば煙センサ部と熱センサ部の２つを備え、各検出データに基づいて複数種類の検出データを生成し、受信機１００からのデータ要求命令に基づいて検出データを応答送信する。ここでマルチセンサ感知器１０２−１〜１０２−ｎで応答することのできるデータの種別は
▲１▼煙データ
▲２▼熱データ
▲３▼マルチセンサデータ
の３つである。マルチセンサデータは、後の説明で明らかにするように、煙データを温度データに基づいて補正した補正データである。このような３種類のデータに対応して、マルチセンサ感知器１０２−１〜１０２−ｎのそれぞれは次の３つのモードを切り替えることができる。
【００３０】
▲１▼煙センサモード
▲２▼熱センサモード
▲３▼マルチセンサモード
マルチセンサ感知器１０２−１〜１０２−ｎの応答データの種別を決めるモード切替えは、受信機１００からのモード切替命令に基づいて行われる。この実施形態にあっては、受信機１００の電源を投入し、伝送路１０１を介してマルチセンサ感知器１０２−１〜１０２−ｎに電源供給が行われた立ち上げ時には、マルチセンサモードを初期設定し、このマルチセンサモードの状態で受信機１００がマルチセンサ感知器１０２−１〜１０２−ｎのアドレスを指定したポーリングによるデータの収集を行っている。
【００３１】
火災が発生した際には、例えばマルチセンサ感知器１０２−１が受信機１００に対し割込信号を送信する。この割込みはモード切替えに関わらず、煙データ、熱データ、マルチセンサデータの各々に所定の閾値以上となったときに、割込信号の受信機１００に対する送信が行われる。
【００３２】
割込信号を受けた受信機１００は、伝送路１０１に対し割込検索命令を送信して、割込信号の送信元となるマルチセンサ感知器１０２−１を特定する。あるマルチセンサ感知器１０２−１を割込元として特定すると、そのアドレスを指定して集中的にセンサデータの呼出しを行い、プリアラームレベルより高めに設定した所定の火災判断の閾値レベルに達したとき火災と判断して、火災警報や火災対処処理を行う。
【００３３】
図２は、本発明の火災監視装置の他の実施形態であり、受信機１００からの伝送路１０１に、この場合には図１のに本発明によるマルチセンサ感知器１０２−１〜１０２−ｎ以外に、既存の火災感知器１０４−１，１０４−２を接続している。このため受信機１００によるモード切替えは、本発明によるマルチセンサ感知器１０２−１〜１０２−ｎに対してのみ行われることになる。
【００３４】
ここで本発明のマルチセンサ感知器１０２−１〜１０２−ｎのみを接続した図１の火災監視装置と、既存の火災感知器１０４−１，１０４−２を接続した混合型の火災監視装置を対比してみると、図１の場合には受信機１００から全てのマルチセンサ感知器１０２−１〜１０２−ｎに共通なポーリングコマンドを指定したモード切替命令によるモード切替えができる。
【００３５】
これに対し図２の場合には、既存の火災感知器１０４−１，１０４−２を除く本発明のマルチセンサ感知器１０２−１〜１０２−ｎのアドレスを指定したモード切替命令によるモード切替えが必要となる。
【００３６】
図３は、図１及び図２に示した本発明の火災監視装置における受信機１００とマルチセンサ感知器１０２の内部構成の機能ブロック図である。
【００３７】
図３において、受信機１００は、伝送部１０５、ＣＰＵ１０６、操作部１０８及び表示部１１０で構成される。ＣＰＵ１０６にはモード切替指示部１１２と火災判断部１１４の機能が設けられる。モード切替指示部１１２は、応答データの種類を選択するモード切替命令をマルチセンサ感知器１０２に送信してモード切替えを実行する。
【００３８】
火災判断部１１４は、データ要求命令（ポーリング命令）の送信によりマルチセンサ感知器１０２から応答データを受信して火災を判断する。もちろん火災判断部１１４による火災判断は、通常状態でのポーリングと火災時におけるマルチセンサ感知器１０２からの割込みに基づく火災判断処理を行う。
【００３９】
マルチセンサ感知器１０２は、煙センサ部としての煙検出部２８、熱センサ部としての熱検出部３０、伝送部３２及びＣＰＵ３６で構成される。ＣＰＵ３６にはマルチセンサ処理部１１６、煙センサ処理部１１８、熱センサ処理部１２０、モード切替部１２２及び割込処理部１２４の機能が設けられる。
【００４０】
マルチセンサ処理部１１６は、熱検出部３０からの温度信号に基づいて煙検出部２８からの煙信号を補正し、補正済みの煙信号を受信機に応答する補正煙データに変換して保持する。煙センサ処理部１１８は、煙検出部２８からの煙信号を受信機１００に応答する煙データに変換して保持する。更に熱センサ処理部１２０は、熱検出部３０からの温度信号を受信機１００に応答するための温度データに変換して保持する。
【００４１】
モード切替部１２２は、煙データを応答する煙センサモード、温度データを応答する温度センサモード、または補正済み煙データを応答するマルチセンサモードの切替機能を有し、受信機１００からのモード切替命令に基づいて煙センサモード、温度センサモードまたはマルチセンサモードのいずれかに切り替えられる。ここでマルチセンサ感知器１０２に対し受信機１００より電源が供給された立ち上げ時には、モード切替部１２２はマルチセンサモードを初期設定している。
【００４２】
割込処理部１２４は、マルチセンサ処理部１１６、煙センサ処理部１１８、熱センサ処理部１２０のそれぞれにおいて、補正済み煙データ、煙データ、温度データが、プリアラームレベルとして定めた所定の閾値以上となったときの判別信号を受けて、受信機１００に対し割込信号を送信する。
【００４３】
この割込処理部１２４からの割込信号を受けた受信機１００の火災判断部１１４は、割込検索命令を送信し、割込信号を送信したマルチセンサ感知器を検索し、検索した感知器にデータ要求命令を繰り返し送って検出データを継続的に応答させることになる。
【００４４】
図４は、図３の受信機１００とマルチセンサ感知器１０２の間におけるモード切替動作とポーリング動作の概略のタイムチャートである。
【００４５】
図４において、受信機１００をステップＳ１のように電源投入によりパワーオンスタートすると、伝送路１０１による電源供給でマルチセンサ感知器１０２も、ステップＳ１０１のように電源供給を受けてパワーオンスタートする。この場合には、受信機１００及びマルチセンサ感知器１０２はそれぞれステップＳ２，Ｓ１０２のようにマルチセンサモードを初期設定する。
【００４６】
続いて受信機１００は、ステップＳ３のように感知器アドレスを指定したポーリング送信を行う。このポーリングを受けてマルチセンサ感知器１０２は、ステップＳ１０３のように、呼出アドレスと自己アドレスが一致したときに、そのときのモード即ちマルチセンサモードで得られたデータを応答送信し、受信機１００はステップＳ４でデータ応答を受信し、メモリに保存する。
【００４７】
このような通常監視状態で、受信機１００のステップＳ５のようにモード切替要求が発生したとすると、ステップＳ４でモード切替要求のための命令を感知器アドレスの指定によりマルチセンサ感知器１０２に送信する。
【００４８】
このモード切替要求の命令を受けてマルチセンサ感知器１０２は、ステップＳ１０４で受信データの確認応答を受信機１００に対し行い、受信機１００はステップＳ６のモード切替要求で送ったモード切替制御データと感知器側から確認応答として受信された受信制御データとを比較照合する。一致すれば、ステップＳ７で確認コマンドをマルチセンサ感知器１０２に送り、これを受けてステップＳ１０５でモード切替えが実行される。
【００４９】
一方、定常監視状態でマルチセンサ感知器１０２で例えば現在の切替モードでの検出データが所定の閾値を超えると、ステップＳ１０６のように異常割込送信を受信機１００に対し行う。この割込送信を受けて受信機１００は、ス
テップＳ１０８で割込検索処理の命令を発行し、これを受けてマルチセンサ感知器１０２は、ステップＳ１０７で自己が割込みを行ったことから割込検索応答を行う。
【００５０】
この割込検索応答を受けて受信機１００は割込元を認識し、ステップＳ９で割込元に送信要求を行い、マルチセンサ感知器１０２よりステップＳ１０８から要求データの応答が行われ、この処理がステップＳ１０で火災と判断されるまで繰り返される。ステップＳ１０で火災が判断されると、ステップＳ１１に進み、火災報知処理を実行する。
【００５１】
図５は、図４のモード切替動作及びポーリング動作のそれぞれを、受信機１００とマルチセンサ感知器１０２の間のコマンドフォーマットに従った電文の送受信で表わしている。
【００５２】
まず受信機１００からのモード切替指示は、モード切替電文１２６をマルチセンサ感知器１０２に送信して行う。このモード切替電文１２６は、モード切替コマンド、アドレス、切替制御データ、ＣＳ（チェックサム）のコマンドフォーマットをもち、モード切替コマンドのコマンドコードとしては例えば１６進で「１４ｈ」を使用する。
【００５３】
切替制御データは「００ｈ」でマルチセンサモードへの切替え、「０１ｈ」で煙センサモードへの切替え、「０２ｈ」で熱センサモードへの切替えを指示する制御データとなる。受信機１００から、このモード切替電文１２６が送信されると、マルチセンサ感知器１０２は受信応答電文１２８を送り返す。
【００５４】
受信応答電文１２８は、感知器のアドレス、受信した受信制御データ及びＣＳで構成される。受信制御データはモード切替電文１２６の切替制御データを格納しており、「００ｈ」でマルチセンサモード、「０１ｈ」で煙センサモード、
「０２ｈ」で熱センサモードとなっている。
【００５５】
このマルチセンサ感知器１０２からの受信応答電文１２８を受けた受信機１００は、モード切替電文１２６の切替制御データと受信制御データを比較照合し、照合一致が得られるとＡＣＫ電文１３０をマルチセンサ感知器１０２に送信する。
【００５６】
この確認用のＡＣＫ電文１３０は、コマンドコード「２０ｈ」を用いたＡＣＫコマンド、アドレス、「０６ｈ」を用いた確認制御データ、及びＣＳで構成される。受信機１００からのＡＣＫデータ１３０を受信すると、マルチセンサ感知器１０２は、そのとき受信している切替制御データに基づいたモード切替動作を行う。
【００５７】
続いてポーリング動作を説明する。ポーリング中にあっては、受信機１００はマルチセンサ感知器１０２に対しポーリング電文１３２を送信する。ポーリング電文１３２は、コマンドコードのポーリングコマンド、アドレス、及びＣＳで構成される。
【００５８】
コマンドデータには「００ｈ」でマルチセンサモード、「０１ｈ」で煙センサモード、「０２ｈ」で熱センサモード、及び「０８ｈ」でノーマルモード（全感知器モード）が設定される。このコマンドコードは、ポーリング電文１３２によるマルチセンサ感知器１０２からの応答データの種別を指示する。
【００５９】
しかしながら、コマンドコードは、マルチセンサ感知器１０２のモード切替えは行わない。通常のポーリング動作にあっては、モード切替電文１２６によってマルチセンサ感知器１０２のモードが決められているため、コマンドコードとしては「０８ｈ」のノーマルモードへのポーリングを行う。
【００６０】
この「０８ｈ」のコマンドコードをもつノーマルモードのポーリング電文１３２に対し、マルチセンサ感知器１０２は、そのときのモードに対応した応答データを含む受信応答電文１３４を返送する。
【００６１】
これに対しポーリング電文１３２のコマンドコードを「０８ｈ」のノーマルモード以外のマルチ、煙、熱以外のいずれかのモードに指定した場合には、マルチセンサ感知器１０２は指定されたモードのデータを受信応答電文１３４で応答するようになる。
【００６２】
したがって、受信機１００は、通常のポーリング中であっても、マルチセンサ感知器１０２のモード切替えを行うことなく、ポーリング電文１３２のポーリングコマンドに必要とするデータの種別を示すモードをセットすることで、マルチセンサモード、煙センサモードまたは熱センサモードの各データを必要に応じて収集することができる。しかも、これらの必要とする種別の収集は、モード切替えを伴うことなく実行することができる。
【００６３】
図６は、図５のモード切替動作における受信機１００のモード切替送信処理のフローチャートである。まずステップＳ１で図５のモード切替電文１２６を作成し、ステップＳ２でマルチセンサ感知器１０２に電文を送信する。
【００６４】
続いてステップＳ３で感知器側からの受信応答電文１２８の受信をチェックしており、応答電文を受信すると、ステップＳ４で受信制御データと送信した切替制御データとの照合一致をチェックし、照合一致が得られれば、ステップＳ５で確認用のＡＣＫ電文１３０を送信して切替処理を終了する。
【００６５】
一方、ステップＳ４で切替制御データと応答電文の受信制御データとの照合一致が得られない場合には、ステップＳ６のエラー処理を行って終了する。このエラー処理ステップＳ６は、ステップＳ１からのモード切替送信処理の再処理としてもよく、再処理を所定回数行っても照合一致が得られなければ、そのときエラーを出して異常終了とする。
【００６６】
図７は、図５のモード切替動作におけるマルチセンサ感知器１０２側のモード切替受信処理のフローチャートである。マルチセンサ感知器１０２はステップＳ１で、受信した受信機１００からのモード切替電文を解読し、その切替制御データから指示された切替モードを認識する。
【００６７】
続いてステップＳ２で、受信した切替制御データを受信制御データに含めた受信応答電文１２８を受信機１００に送信する。ステップＳ３で受信機１００からの確認用のＡＣＫ電文１３０の受信を待ち、ステップＳ４で、ステップＳ１で指示されたモード切替電文の切替制御データに基づいたモード切替えを実行する。
【００６８】
図８は、図２の受信機１００における監視処理の全体的なフローチャートである。受信機１００はステップＳ１でポーリング送信を行い、ステップＳ２で感知器から割込みがなければ、ステップＳ３で応答データを受信して保存する。火災が発生すると、特定の感知器から割込信号が送信されることから、ステップＳ２で感知器からの割込みを判別し、ステップＳ４で割込コマンドコード「４６ｈ」を用いた電文による割込確認を行い、ステップＳ５で確認応答があれば、ステップＳ６で割込先の検索処理を行う。
【００６９】
この検索処理の結果について、ステップＳ７で割込感知器が特定できると、ステップＳ８に進み、受信機が割込感知器がマルチセンサか否かチェックする。割込感知器がマルチセンサであると、ステップＳ９に進み、感知器から受信可能な３つのセンサモードの送信要求を行って、補正煙データ、煙データ、温度データの各データを順次取得する。
【００７０】
具体的には、図５のポーリング電文１３２の応答制御データとして、「００ｈ」
のマルチセンサモード、「０１ｈ」の煙センサモード、「０２ｈ」の熱センサモードを持つポーリング電文１３２を順次送信して、各モードのデータを取得する。
【００７１】
一方、割込感知器がマルチセンサでなかった場合にはステップＳ１０に進み、この場合には図５のポーリング電文１３２のポーリングコマンドとして「０８ｈ」のノーマルモードで送信し、現在の感知器側のセンサモードでのデータを取得する。そしてステップＳ１１において、ステップＳ９またはステップＳ１０で取得した感知器側のデータに基づき火災判断を行う。
【００７２】
図９は、図８の受信機処理に対応したマルチセンサ感知器１０２側の感知器処理のフローチャートである。ステップＳ１でポーリング電文を受信すると、ステップＳ２に進み、ポーリングの種類を判定する。
【００７３】
そしてステップＳ３で、ポーリングの種別としてステップＳ４の通常モードポーリング、ステップＳ５のマルチセンサモードポーリング、ステップＳ６の煙センサモードポーリング、ステップＳ７の熱センサモードポーリングのいずれかが判別される。ステップＳ４の通常モードポーリングと判別された場合にはステップＳ８に進み、感知器における現在のモードを判別する。
【００７４】
感知器の現在モードは、ステップＳ９のマルチセンサモード、ステップＳ１０の煙センサモード、またはステップＳ１１の熱センサモードのいずれかである。そしてステップＳ９のマルチセンサモードであればステップＳ１２に進み、マルチセンサモードのデータを応答する。
【００７５】
ステップＳ１０の煙センサモードであれば、ステップＳ１３で煙センサモードのデータを応答する。更に、ステップＳ１１の熱センサモードであれば、ステップＳ１４の熱センサモードのデータを応答する。
【００７６】
一方、ステップＳ３で、ポーリング種類がステップＳ４の通常モードポーリング以外であった場合には、ステップＳ５のマルチセンサモードポーリング、ステップＳ６の煙センサモードポーリング及びステップＳ７の熱センサモードポーリングのそれぞれの判別結果に応じ、ステップＳ１２，Ｓ１３，Ｓ１４のように、各センサモードのデータを応答する。
【００７７】
図１０は、図２のマルチセンサ感知器１０２の割込処理部１２４による割込送信処理のフローチャートである。この割込送信処理にあっては、ステップＳ１でマルチセンサモードの補正煙データについて所定の閾値と比較し、ステップＳ２で煙センサモードの煙データについて所定の閾値と比較し、ステップＳ３で熱センサモードの温度データと所定の閾値と比較する。
【００７８】
ステップＳ１〜Ｓ３でいずれかのモードのデータが所定の閾値以上になると、ステップＳ４に進み、受信機１００に対し割込送信を実行する。
【００７９】
図１１は、図８の受信機処理のフローチャートのステップＳ６における感知器側から割込信号を受けたときの検索処理の詳細のフローチャートである。この割込検索処理は、まずステップＳ１で、予め定められた感知器グループの先頭アドレスＧＡをセットする。グループアドレスは感知器アドレスの上位アドレスビットもしくは専用のグループアドレスを使用すればよい。
【００８０】
続いてステップＳ２で、先頭のグループアドレスを指定した割込検索要求のコマンド電文を送信する。この場合のグループ検索のコマンドコードは例えば「４１ｈ」をである。
【００８１】
ステップＳ３でグループに属する特定の感知器からの応答があれば、ステップＳ６のグループ内の先頭アドレスＡをセットした検索処理に移行する。ステップＳ３で応答がなければ、ステップＳ４でグループアドレスＧＡを１つアップして、ステップＳ５で最終アドレスとなるまで、ステップＳ２の割込検索要求の送信を繰り返す。
【００８２】
グループアドレスの検索が終了して、ステップＳ６でグループ内の先頭アドレスＡをセットした場合には、ステップＳ７でグループ内の先頭アドレス、具体的にはグループの感知器アドレスの指定で割込検索要求のコマンド電文を送信し、ステップＳ８で応答があるか否かチェックする。この場合のアドレス検索のコマンドコードは例えば「４４ｈ」をである。この応答データは現在設定モードのアナログ値である。
【００８３】
応答があればステップＳ１１で、応答があった感知器を割込先と認識し、そのアドレスを取得して特定する。ステップＳ８で応答がなければ、ステップＳ９でグループ内アドレスＡを１つアップした後、ステップＳ１０で全アドレス終了となるまで、ステップＳ７，Ｓ８の処理を繰り返す。
【００８４】
図１２は、本発明による火災感知器の天井面等に対する設置状態の説明図である。本発明の火災感知器は、ヘッド１０とベース１２で構成される。ベース１２は天井面に固定され、ベース１２に対し下側よりヘッド１０を装着しており、ベース１２に対しヘッド１０は着脱自在である。
【００８５】
ヘッド１０の中央に突出した検出部分の周囲には、一定間隔で複数の煙流入口１４が開口している。またヘッド１０の下部に突出してケージ状（籠状）に形成されたセンサカバー１８が設けられており、センサカバー１８の中に外部温度を検出するためのサーミスタを用いた温度検出素子が配置されている。またヘッド１０にはＬＥＤを用いた作動表示灯１６が設けられる。
【００８６】
図１３（Ａ）は図１２の本発明による火災感知器の正面図であり、図１３（Ａ）が図１の正面図、図１３（Ｂ）が図１２のヘッド１０の下側から見た底面図、図１３（Ｃ）がヘッド１０の上部を見た平面図である。
【００８７】
図１３（Ａ）から明らかなように、ヘッド１０の下部に設けたセンサカバー１８は、煙流入口１４を開口した中央の突出部に対し更に下側に突出しており、火災時の熱気流を、センサカバー１８に内蔵したサーミスタ等の温度検出素子で十分に効率良く検出できるようにしている。
【００８８】
また火災時の熱気流に伴って拡散してくる煙は、周囲に開口した煙流入口１４から内部に侵入し、内蔵した煙センサ機構による煙検出ができる。この場合、図１３（Ｂ）のように、煙流入口１４はヘッド１８の全周に亘って定間隔で形成されているため、あらゆる方向からの煙に対し内部に流入して煙検出ができる。
【００８９】
更に図１３（Ｃ）のように、ヘッド１０の上部には例えば３つの嵌合端子金具２０−１，２０−２，２０−３が装着されており、この嵌合端子金具２０−１〜２０−３に対応して感知器ベース１２の下面には、嵌合受け金具が装着されており、ベース１２に下側よりヘッド１０を押し当てて回すことで嵌合金具２０−１〜２０−３がベース１２側の嵌合部に嵌り込み、電気的且つ機械的に接続される。
【００９０】
図１４は、本発明の火災感知器の内部回路のブロック図である。図１４において、受信機側と接続される端子Ｓ，ＳＣに続いて、ノイズ吸収回路２４及び定電圧回路２６が設けられる。定電圧回路２６は、受信機側からの供給電源電圧を例えば＋１２ボルトに安定化して出力する。定電圧回路２６に続いては熱検出部２８、煙検出部３０が設けられる。
【００９１】
また定電圧回路２６の前段には伝送部３２が設けられる。伝送部３２に続いては定電圧回路３４が設けられる。定電圧回路３４は、定電圧回路２６からの＋１２ボルトの電源供給を受けて＋３ボルトに安定化した定電圧出力を生ずる。定電圧回路３４に続いてはＣＰＵ３６が設けられる。ＣＰＵ３６に対しては、Ａ／Ｄ基準電圧回路３８、アドレス種別設定回路４０、発振回路４２及びリセット回路４４が設けられている。
【００９２】
熱検出部２８には熱検出回路５２が設けられる。熱検出回路５２は、図１５の回路ブロック図に示すように、外部サーミスタ５８、外部温度検出回路６０、内部サーミスタ６２及び内部温度検出回路６４を備える。外部サーミスタ５８は、図１のヘッド１０に設けているセンサカバー１８の中に外気に触れた状態で配置されており、外部温度に応じた抵抗値の変化を生ずる。
【００９３】
外部温度検出回路６０は、外部サーミスタ５８の抵抗値の変化を外部温度Ｔｏに対応した温度検出信号に変換して、図１４のＣＰＵ３６に出力する。内部サーミスタ６２は、図１２のヘッド１０の外気を直接受けない内部に配置され、内部温度に応じた抵抗値の変化を生ずる。内部温度検出回路６４は内部サーミスタ６２の抵抗値の変化により、内部温度Ｔｉに対応した内部温度検出信号を図１４のＣＰＵ３６に出力する。
【００９４】
再び図１４を参照するに、煙検出部３０は、ＬＥＤ発光回路４６、受光回路４８及び受光増幅回路５０を備える。ＬＥＤ発光回路４６は、間欠的に光源としてのＬＥＤを発光している。このＬＥＤの発光は、端子Ｓ，ＳＣに対する受信機からの一定周期の呼出信号に同期して発光駆動してもよいし、発振回路４２のクロックパルスから分周した分周パルスを用いて一定時間間隔で発光駆動してもよい。
【００９５】
受光回路４８は、ＬＥＤ発光回路４６で発光駆動したＬＥＤからの光の火災により流入した煙による散乱光を受光して電気信号に変換する。受光回路４８で受光した微弱な受光信号は、受光増幅回路５０で増幅された後、ＣＰＵ３６に対し煙信号として出力されている。
【００９６】
伝送部３２は、伝送信号検出回路５４と応答信号回路５６で構成される。応答信号回路５６には作動表示灯１６が含まれる。伝送信号検出回路５４は端子Ｓ，ＳＣに対する図示しない受信機からの各種の要求信号を受信してＣＰＵ３６に伝送要求を伝える。この受信機からの伝送要求信号は、コマンド、アドレス、チェックサムで構成されている。
【００９７】
ＣＰＵ３６は、伝送信号検出回路５４より受信機からの伝送要求信号を受けると、受光増幅回路部５０から入力している煙信号Ｓを、熱検出回路５２からの外部温度Ｔｏ、及び外部温度Ｔｏと内部温度Ｔｉの温度差ΔＴ（＝Ｔｏ−Ｔｉ）に基づく補正係数Ｋで補正し、応答信号回路５６により受信機側に補正された煙データＳを応答する。
【００９８】
応答信号回路５６による作動表示灯１６の点灯駆動は、ＣＰＵ３６が受信機に対し応答動作を行うときに点灯する。また受信機に伝送した煙データＳに基づいて火災が判断されたときの受信機からの火災検出信号に基づき、作動表示灯１６を点灯してもよい。即ち、応答信号伝送時は作動表示灯１６は点滅であり、受信機からの火災検出信号を受けたときは作動表示灯１６は点灯となる。
【００９９】
更に受信機から火災感知器に対する伝送要求信号は、端子Ｓ，ＳＣ間に接続する一対の信号線の電圧変化で伝送され、これに対し火災感知器の伝送部３２からの応答信号は受信機からの信号線間に電流を流す電流モードで伝送される。
【０１００】
Ａ／Ｄ基準電圧回路３８は、ＣＰＵ３６に設けている熱検出回路５２からの外部温度信号Ｔｏ、内部温度信号Ｔｉ、更に受光増幅回路５０からの煙信号Ｓをデジタル信号に変換するＡ／Ｄコンバータの基準電圧を出力する。
【０１０１】
アドレス種別設定回路４０は、感知器アドレスをＣＰＵ３６に設定し、感知器の種別を削除する。
【０１０２】
発振回路４２はＣＰＵ３６を動作するためのクロックパルスを発振する。リセット回路４４は受信機側での電源投入時にＣＰＵ３６に対する定電圧回路３４からの電源電圧が規定電圧に立ち上がったときにリセット信号をＣＰＵ３６に出力して、ＣＰＵ３６のイニシャルリセットを行う。
【０１０３】
図１６は、図２のマルチセンサ処理部、煙センサ処理部及び熱センサ処理部の第１実施形態の機能ブロック図である。図１６において、マルチセンサ処理部１１６は、Ａ／Ｄコンバータ６６，６８，７０、温度差算出部７２、補正係数決定部７４、ＥＥＰＲＯＭ等を用いた不揮発メモリ７６、乗算器を用いた煙データ補正部７８、補正煙データ格納レジスタ８２及び比較部８４を備える。
【０１０４】
Ａ／Ｄコンバータ６６は、図１５の熱検出回路５２に設けた外部温度検出回路６２からの外部温度検出信号Ｔｏをデジタルの外部温度データＴｏに変換して取り込む。Ａ／Ｄコンバータ６８は、図１５の熱検出回路５２に設けた内部温度検出回路６４からの内部温度検出信号Ｔｉをデジタル変換して内部温度データＴｉとして取り込む。更にＡ／Ｄコンバータ７０は、図１４の煙検出部３０に設けた受光増幅回路５０からの煙信号をデジタルの煙データＳに変換して取り込む。
【０１０５】
温度差算出部７２は、Ａ／Ｄコンバータ６６で取り込んだ外部温度データＴｏとＡ／Ｄコンバータ６８で取り込んだＴｉとの差を温度差ΔＴとして算出し、補正係数決定部７４に出力する。この温度差ΔＴは火災により熱気流を受けたときの温度上昇率を表わしている。
【０１０６】
補正係数決定部７４は、外部温度データＴｏと温度差ΔＴの両方に基づいて、Ａ／Ｄコンバータ７０で取り込んだ煙データＳを補正するための補正係数Ｋを決定する。
【０１０７】
この補正係数Ｋは、不揮発メモリ７６に外部温度データＴｏと温度差ΔＴの２つの温度条件に基づいて予め保存されており、そのとき得られた外部温度データＴｏと温度差ΔＴから対応する補正係数Ｋが格納された不揮発メモリ７６のアドレスを求め、このアドレスによる不揮発メモリ７６の指定で、対応する補正係数Ｋを読み出して煙データ補正部７８に出力する。
【０１０８】
煙データ補正部７８は、Ａ／Ｄコンバータ７０で取り込んだ煙データＳに補正係数決定部７４より出力した補正係数Ｋを乗じて補正した煙データＳを出力する。
即ち、煙データ補正部７８は
Ｓ＝Ｋ×Ｓ
とする補正を行って、煙データＳを出力し、補正煙データ格納レジスタ８２に保持される。
【０１０９】
比較部８４は、煙データ補正部７８からの補正済みの煙データＳを所定閾値Ｓｔｈと比較し、閾値Ｓｔｈ以上となったときの比較出力を割込信号として出力する。
【０１１０】
煙センサ処理部１１８は、煙データ格納レジスタ８６と比較部８８で構成される。煙データ格納レジスタ８６は、Ａ／Ｄコンバータ７０で取込んだ煙データＳを保持する。比較部８８は、Ａ／Ｄコンバータ７０から取込んだ煙データＳを所定閾値Ｓｔｈと比較し、閾値Ｓｔｈ以上となったときの比較出力を割込信号として出力する。
【０１１１】
熱センサ処理部１２０は、外部温度データ格納レジスタ９０と比較部９２で構成される。外部温度データ格納レジステ９０は、Ａ／Ｄコンバータ６６で取込んだ外部温度データＴｏを保持する。比較部９２は、Ａ／Ｄコンバータ６６から取込んだ外部温度データＴｏを所定閾値Ｔｔｈと比較し、閾値Ｔｔｈ以上となったときの比較出力を割込信号として出力する。
【０１１２】
図１７は、図１６の補正係数決定部７４及び不揮発メモリ７６で実現される本発明の外部温度データＴｏと温度差ΔＴに基づいた煙データの補正係数Ｋをテーブル情報として表わしている。
【０１１３】
図１７（Ａ）において、テーブルの縦方向は外部温度Ｔｏであり、この実施形態にあっては、４０．０℃未満、４０．０℃以上５０．０℃未満、５０．０℃以上６０．０℃未満、６０．０℃以上７０．０℃未満、７０．０℃以上８０℃未満、８０℃以上の６つの温度範囲に分割している。
【０１１４】
また横方向は温度差ΔＴであり、５．５℃未満、５．５℃以上１３．０未満、１３．０℃以上２０．５℃未満、２０．５℃以上の４つの温度範囲に分割している。このような６領域に分けた外部温度Ｔｏと４領域に分けたΔＴの２つのパラメータで決まる領域には、煙データＳの補正係数Ｋが図示の数値のように予め設定されている。
【０１１５】
この補正係数Ｋは、例えば１．０から最大で１．６の値をもつ。ここで補正係数Ｋ＝１．０は補正を行わないことを意味する。したがって図１７（Ａ）のテーブルは、補正係数Ｋ＝１．０を補正なしとすると、図１７（Ｂ）のように表わすことができる。この図１７（Ｂ）のテーブル情報から、この実施形態にあっては次のようにして補正係数Ｋを決めている。
【０１１６】
まず外部温度Ｔｏが４０．０℃未満の場合には、温度差ΔＴがどのような区分にあっても補正は行わない。また温度差ΔＴが５．５℃未満については、外部温度Ｔｏがどのような温度範囲にあっても補正は行わない。即ち、この補正なしの領域では本発明の火災感知器は煙データＳを補正せずにそのまま出力する煙感知器として動作する。
【０１１７】
これに対し外部温度Ｔｏが４０．０℃以上で且つ温度差ΔＴが５．５℃以上となる範囲では、煙検出の感度が増加するように煙データを補正する補正係数Ｋを設定し、具体的には外部温度Ｔｏ＝４０．０℃以上５０．０℃未満の範囲では、温度差ΔＴ＝５．５℃以上１３．０未満以上でＫ＝１．１、ΔＴ＝１３．０℃以上２０．５℃未満以上でＫ＝１．２、ΔＴ＝２０．５℃以上でＫ＝１．３としている。
【０１１８】
また外部温度Ｔｏ＝５０．０℃以上６０．０℃未満の範囲にあっては、ΔＴ＝５．５℃以上１３．０℃未満，１３．０℃以上２０．５℃未満，２０．５℃以上の各範囲で、Ｋ＝１．２，１．３，１．４としており、これは１つ前の低い外部温度Ｔｏ＝４０．０℃以上５０．０℃未満の場合に比べ補正係数の値を増加させている。
【０１１９】
次の外部温度Ｔｏ＝６０．０℃℃以上７０．０℃未満の範囲についても、温度差ΔＴ＝５．５℃以上１３．０℃未満，１３．０℃以上２０．５℃未満，２０．５℃以上のそれぞれについて、Ｋ＝１．３，１．４，１．５と、１つ前の外部温度の段階より高い補正係数を設定している。
【０１２０】
次の外部温度Ｔｏ＝７０．０℃以上８０．０℃未満及び８０．０℃以上の場合については、温度差ΔＴ＝５．５℃以上１３．０℃未満については補正係数Ｋ＝１．０とすることで補正なしとし、温度差ΔＴ＝１３．０℃以上２０．５℃未満℃及び２０．５℃以上の２つの範囲について補正係数Ｋ＝１．４と１．５、また補正係数Ｋ＝１．５と１．６を設定している。
【０１２１】
この外部温度Ｔｏ７０．０℃以上８０．０℃未満及び８０．０℃以上でΔＴ＝５．５℃以上１３．０℃未満の場合に補正なしとする理由は、外部温度Ｔｏは７０．０℃と高いが温度差ΔＴが５．５℃以上１３．０℃未満と比較的低く、このような状況は火災以外の熱源による温度の環境であり、この場合は煙データＳの補正なしとしている。
【０１２２】
この条件は例えば暖房機器からの熱の輻射や熱気流を火災感知器で直接受けた場合であり、外部温度Ｔｏは７０．０℃以上と比較的高いが、火災時のように温度上昇率はそれ程大きくなく、煙データを補正して煙検出感度を上げることによる非火災報を防止するため補正なしとしている。
【０１２３】
図１７（Ｂ）に示す外部温度Ｔｏと温度差ΔＴの２つのパラメータで決まる補正係数Ｋの決定は、具体的には図１８のようなアドレステーブルと不揮発メモリの格納データを用いて実現される。図１８（Ａ）は、図１８（Ｂ）の不揮発メモリ７６のアドレステーブルである。
【０１２４】
図１８（Ａ）のアドレステーブルにあっては、図１７（Ｂ）と同じ外部温度Ｔｏの温度範囲及び温度差ΔＴの温度範囲で決まる補正なし以外の領域に、図１８（Ｂ）の不揮発メモリ７６のアドレスを例えば左上隅から横方向に順番となるように、アドレス２８，２９，３０，・・・３９，４０を格納している。この場合、不揮発メモリ７６は各アドレスに対して８ビットの補正係数と８ビットの温度差領域を示す１６ビットの２進データを格納している。
【０１２５】
図１８（Ａ）のアドレステーブルに対応して、図１８（Ｂ）の不揮発メモリ７６のアドレス２８〜４０の各領域には、図１７（Ｂ）に定めている補正係数Ｋ＝１．１，１．２，１．３，・・・１．５，１．６及び温度差領域を示すデータがそれぞれ格納されている。ここで温度差領域を示すデータとしては、例えば５．５℃以上１３．０℃未満で６、１３．０℃以上２０．５℃未満で１３、２０．５℃以上で２１を使用している。
【０１２６】
図１８（Ｂ）の不揮発メモリ７６に格納した補正係数Ｋ＝１．１〜１．６は、実際には８ビットの２進データとして格納される。図１８（Ｃ）は実際に使用する不揮発メモリ７６に格納した補正係数であり、補正係数＝１．０を８ビット２進データ「１０００００００」とし、即ち１０進で「１２８」とした場合である。このため図１８（Ｂ）の補正係数Ｋ＝１．１〜１．６は、１０進で表わした補正係数「１４１，１５４，１６６，・・・１９２，２０５」の８ビット２進データとして格納される。
【０１２７】
図１８（Ａ）の外部温度Ｔｏと温度差ΔＴに基づく図１８（Ｃ）の不揮発メモリ７６のアドレス指定は、図１６の補正係数決定部７４に図１８（Ａ）のようなアドレステーブルを設けてもよいが、この実施形態にあっては、補正係数決定部７４の機能を実現するＣＰＵ３６のプログラムの中に、外部温度Ｔｏに該当するアドレスが指定できるように、アドレス値が記述されている。好ましくは、アクセス時間が短縮できるので電源立ち上げ時にＥＥＰＲＯＭからＲＡＭへデータ転送し、ＲＡＭよりデータをもらうほうが良い。
【０１２８】
図１９は、図１６のマルチセンサ処理部１１６の火災検出処理のフローチャートであり、この処理は図１４のＣＰＵ３６に対して設けている発振回路４２からの発振クロックに基づく一定の処理周期ごとに繰り返される。
【０１２９】
まずステップＳ１で、Ａ／Ｄコンバータ７０がデジタル変換した煙データＳを読み込む。続いてステップＳ２で、Ａ／Ｄコンバータ６６，６８により外部温度Ｔｏと内部温度Ｔｉを読み込む。次にステップＳ３で、温度差算出部７２により温度差ΔＴをΔＴ＝Ｔｏ−Ｔｉとして算出する。続いてステップＳ４に進み、補正係数決定部７４が煙データを補正するための外部温度Ｔｏと温度差ΔＴの条件が成立するか否か判定する。
【０１３０】
具体的には、図１８（Ａ）のアドレステーブルの内容を指示したプログラム中の、そのときの外部温度Ｔｏが含まれる温度範囲に該当するアドレスを決定し、不揮発メモリ７６から補正係数と温度差領域のデータを読み出す。このとき例えば外部温度Ｔが１３．０℃以上２０．５℃未満であったとすると、図１８（Ｂ）のアドレス２８,２９,３０が指定され、不揮発メモリ７６から３つのデータが読出される。そこで、読み出した３つのデータの中の温度差領域を示す値６,１３,２１と、そのときの温度差ΔＴを比較し、該当する温度差領域の補正係数Ｋを決定する。
【０１３１】
続いてステップＳ６で、決定した補正係数を用いて煙データ補正部７８がＡ／Ｄコンバータ７０から取り込んだ煙データＳに乗じてＳ＝Ｋ×Ｓとする補正を行う。最終的にステップＳ７で、補正した煙データＳを出力する。
【０１３２】
一方、ステップＳ４で煙データを補正するための外部温度と温度差の条件が成立しなかった場合には、ステップＳ５，Ｓ６の処理をスキップし、ステップＳ７でそのまま煙データＳを出力する。具体的には、補正係数決定部７４で不揮発メモリ７６のアドレスが取得できないことから、煙データ補正部７８による補正を行わず、Ａ／Ｄコンバータ７０から取り込んだ煙データＳをそのまま出力する。
【０１３３】
このように、そのときの外部温度Ｔｏと温度上昇率を示す温度差ΔＴに基づき、外部温度が高く上昇率が高い温度差の大きいほど、より大きくなる補正係数Ｋを決定して、煙検出感度を高めるように煙データを補正し、着炎火災のように煙がほとんど出ずに温度が急激に上昇する火災であっても、煙検出感度を高めることで、煙データから着炎火災を確実に且つ早期に検出することができる。
【０１３４】
一方、暖房機器の熱気流や輻射熱を直接受けた通常時にあっては、外部温度Ｔｏは高いが温度差ΔＴは小さく、温度上昇はほとんど見られないことから、この場合には煙データの補正を行わないことで非火災報を確実に防止する。
【０１３５】
図２０は、図１４の熱検出部２８に設けた熱検出回路５２の他の実施形態の回路ブロック図である。この第２実施形態の熱検出回路５２にあっては、外部サーミスタ５８のみを設け、外部サーミスタ５８の外部温度による抵抗値の変化を外部温度検出回路６０で外部温度Ｔｏに対応して変化する外部温度検出信号ＴｏとしてＣＰＵ３６に出力している。
【０１３６】
図２１は、図２０の熱検出回路５２からの外部温度検出信号Ｔｏに基づいて煙検出感度を補正する図３の感知器側に設けたマルチセンサ処理部、煙センサ処理部及び熱センサ処理部の第２実施形態の機能ブロック図である。この第２実施形態において、ＣＰＵ３６には、図２０の熱検出回路５２に設けた外部サーミスタによる外部検出温度信号Ｔｏと、図１４の煙検出部３０に設けた受光増幅回路５０からの煙信号Ｓが入力され、図１６の第１実施形態のように内部サーミスタに基づいて検出した内部温度検出信号Ｔｉは入力されていない。
【０１３７】
Ａ／Ｄコンバータ６６は、一定周期ごとに外部温度Ｔｏを取り込んで、デジタルの外部温度Ｔｏとして温度差算出部８０に供給している。温度差算出部８０は、時定数の大きな温度センサの擬似出力（参照温度）を算出する（これを感知器内部温度とみなす）。そして外部温度データと前記参照温度との差により、火災による温度上昇率を示す温度差ΔＴを算出する。
【０１３８】
別の方法として、一定時間分の温度データ値を記憶しておき、データ値の差を時間間隔で割り算して温度上昇率を求めても良い。
【０１３９】
補正係数算出部７４、不揮発メモリ７６、煙データ補正部７８は、図１６の第１実施形態と同じであり、例えば図１８（Ａ）のアドレステーブルによる外部温度Ｔｏと温度差ΔＴに基づいたアドレス決定を行い、決定したアドレスによる図１８（Ｃ）の内容をもつ不揮発メモリ７６の読出しで補正係数Ｋを決定する。
【０１４０】
図２２は、図２１のマルチセンサ処理部１１６のの第２実施形態による火災検出処理のフローチャートである。この第２実施形態の火災検出処理にあっては、ステップＳ１で煙データＳを読み込み、続いてステップＳ２で外部温度データＴｏを読み込んで保存し、ステップＳ３で温度差算出部８０が感知器の内部温度とみなした擬似出力（参照温度）と外部温度Ｔｏの差として温度差データΔＴを算出する。
【０１４１】
続いてステップＳ４で煙データを補正するための外部温度Ｔｏと温度差ΔＴの条件成立か否かチェックし、条件成立であれば、ステップＳ５で現在の外部温度Ｔｏと温度差ΔＴに基づいて補正係数Ｋを決定し、ステップＳ６で煙データＳに乗じて補正した後、ステップＳ７で補正後の煙データを出力する。一方、ステップＳ４で煙データを補正するための外部温度Ｔｏと温度差ΔＴの条件が成立していない場合には、ステップＳ５，Ｓ６の処理をスキップし、ステップＳ７で煙データＳをそのまま出力する。
【０１４２】
この図２１の第２実施形態にあっても、そのときの外部温度Ｔｏと温度上昇率を表わす温度差ΔＴの２つのパラメータにより、外部温度Ｔｏが高く温度上昇率が高い場合に、より高い値となる補正係数を決定して、煙の検出感度を高めるように煙データを補正するため、煙の発生が少なく温度が急激に上昇する着炎火災であっても、煙データの補正によって確実に且つ早期に火災を検出することができる。
【０１４３】
また暖房機器の熱を直接受ける煙の発生のない状況では、温度が高くても温度上昇率が低いことから、煙データの補正は行わず、これによって暖房機器等による非火災報を確実に防止できる。
【０１４４】
ここで、外部温度と温度差の２つのパラメータに基づいた煙の検出感度を高めるための補正係数Ｋの決定は、図６の２つの温度範囲で決まる補正係数の値に限定されず、外部温度が高く温度上昇率が高いほど、より大きな値をもつ補正係数を決定するという条件を満足する範囲で適宜に定めることができる。もちろん、この場合に、火災以外の原因が明らかな領域については不必要であるから補正を行わないようにする。
【０１４５】
また補正係数ＫをＫ＝１．１〜１．６の範囲で変化させているが、この値も必要に応じて、１．０を越える適宜の値が設定できる。また補正係数Ｋとしては、１より小さい値を設定することで、煙による非火災報を更に確実に防止できる。
【０１４６】
また本発明は、図１７に示した外部温度Ｔｏ及び温度差ΔＴの温度範囲の区分に限定されず、必要に応じて、より多い分割数または少ない分割数とすることもできるし、数値自体も可変可能である。
【０１４７】
尚、上記の実施形態は、感知器に煙センサと熱センサの２つを設け、マルチセンサモード、煙センサモード、熱センサモードの３種類のデータ種別に対応したモード切替えを行う場合を例にとっているが、感知器に設けるセンサの数及び種類は必要に応じて適宜に定めることができる。
【０１４８】
また受信機からのモード切替処理は、複数種類のデータを監視対象とした監視アルゴリズムに従って適宜に定めることができる。例えば監視アルゴリズムとしては、特定のモードのデータを固定的に収集して監視し異常が起きたときに他のモードのデータの収集に切り替えるアルゴリズム、ポーリング周期ごとにモードを切り替えて異なった種類のデータを監視するアルゴリズム等、適宜のモード切替えによる監視が実現できる。
【０１４９】
更に本発明は、その目的と利点を損なわない範囲の適宜の変形を含む。更にまた本発明は、実施例の数値による限定は受けない。
【０１５０】
【発明の効果】
以上説明してきたように本発明によれば、複数のセンサによる複数種類のデータの検出機能をもつ火災感知器に対し、受信機に応答する検出データの種別を決めるモードを切り替えることで、ハードウェアによる複数のセンサ部の動作切替えを必要とせず、また１つの火災感知器にデータの種類に応じたアドレスを使用した場合のアドレス不足に起因した感知器接続数の減少も起こすことなく、複数のセンサの検出データの特徴を有効に生かした火災の集中監視を行うことができる。
【０１５１】
特に複数のセンサ回路は常時動作状態にあり、特定のモードで火災や障害が発生した場合、データ応答のためのモードを切り替えるだけで確実に他のセンサによるデータを迅速に取得して、信頼性の高い火災判断や障害の認定が実現できる。
【図面の簡単な説明】
【図１】本発明の火災感知器のみを伝送路に接続した本発明の防災監視装置のブロック図
【図２】本発明の火災感知器及び帰属の火災感知器を伝送路に接続した本発明の防災監視装置のブロック図
【図３】図１の受信機と火災感知器の内部構成の機能ブロック図
【図４】図１の受信機と火災感知器におけるモード切替動作とポーリング動作のタイムチャート
【図５】図４のモード切替えとポーリング動作の電文フォーマットの説明図
【図６】図２の受信機によるモード切替送信処理のフローチャート
【図７】図にの火災感知器によるモード切替受信処理のフローチャート
【図８】図２の火災受信機の監視処理のフローチャート
【図９】図２の火災感知器の動作処理のフローチャート
【図１０】図２の火災感知器における割込送信処理のフローチャート
【図１１】図２の火災受信機における検索処理の詳細フローチャート
【図１２】本発明の火災感知器の外観説明図
【図１３】図１２の火災感知器の正面、底面、背面の説明図
【図１４】図１１の感知器回路のブロック図
【図１５】外部サーミスタと内部サーミスタを備えた図１４の熱検出回路のブロック図
【図１６】図１４のＣＰＵにより実現されるマルチセンサ処理部の第１実施形態のブロック図
【図１７】本発明の補正係数の決定に使用するテーブル説明図
【図１８】図１７の補正係数テーブルを実現するアドレス変換テーブル、メモリ補正係数テーブルの説明図
【図１９】図１６のマルチセンサ処理部による処理動作のフローチャート
【図２０】外部サーミスタのみを備えた図１４の熱検出回路のブロック図
【図２１】図１４のＣＰＵにより実現されるマルチセンサ処理部の第２実施形態のブロック図
【図２２】図２１のマルチセンサ処理部による処理動作のフローチャート
【符号の説明】
１０：ヘッド
１２：ベース
１４：煙流入口
１６：発報表示灯
１８：センサカバー
２０−１，２０−２，２０−３：嵌合端子金具
２４：ノイズ吸収回路
２６，３４：定電圧回路
２８：熱検出部
３０：煙検出部
３２，１０５：伝送部
３６，１０６：ＣＰＵ
３８：Ａ／Ｄ基準電圧回路
４０：アドレス・種別設定回路
４２：発振回路
４４：リセット回路
４６：ＬＥＤ発光回路
４８：受光回路
５０：受光増幅回路
５２：熱検出回路
５４：伝送信号検出回路
５６：応答信号検出回路
５８：外部サーミスタ
６０：外部温度検出回路
６２：内部サーミスタ
６４：内部温度検出回路
６６，６８，７０：Ａ／Ｄ変換器
７２，８０：温度差算出部
７４：補正係数決定部
７６：不揮発メモリ（ＥＥＰＲＯＭ）
７８：煙データ補正部（乗算器）
８４，８８，９２：比較部
１００：受信機
１０１：伝送路
１０２，１０２−１〜１０２−ｎ：マルチセンサ感知器
１０４−１，１０４−２：火災感知器（既存）
１０８：操作部
１１０：表示部
１１２：モード切替指示部
１１４：火災判断部
１１６：マルチセンサ処理部
１１８：煙センサ処理部
１２０：熱センサ処理部
１２２：モード切替部
１２４：割込処理部
【図１】
0003724689.tif 000002
【図２】
0003724689.tif 000003
【図３】
0003724689.tif 000004
【図４】
0003724689.tif 000005
【図５】
0003724689.tif 000006
【図６】
0003724689.tif 000007
【図７】
0003724689.tif 000008
【図８】
0003724689.tif 000009
【図９】
0003724689.tif 000010
【図１０】
0003724689.tif 000011
【図１１】
0003724689.tif 000012
【図１２】
0003724689.tif 000013
【図１３】
0003724689.tif 000014
【図１４】
0003724689.tif 000015
【図１５】
0003724689.tif 000016
【図１６】
0003724689.tif 000017
【図１７】
0003724689.tif 000018
【図１８】
0003724689.tif 000019
【図１９】
0003724689.tif 000020
【図２０】
0003724689.tif 000021
【図２１】
0003724689.tif 000022
【図２２】
0003724689.tif 000023